(57)【特許請求の範囲】
【請求項１】
筐体の一部を水中に没するか、もしくは、水面近傍に設置して、水中下を照らす照明器具において、筐体内に配置される光源及びその光源からの光を前面側に反射する反射板を有する灯具と、この灯具を自在に保持する支持金具とからなる照明器具における前記灯具、支持金具の連結機構が、灯具の自重によってその連結を成す、あるいは、筐体に作用する浮力によってこの連結を成す、着脱可能な構造を有することを特徴とする照明器具。
【請求項２】
灯具が設置されるプールの水面高さを検出する水位センサと、そのセンサ出力に基づいて、水面から灯具最前部までの位置関係を一定に保つべく、灯具を上下方向に移動する昇降手段を備えていることを特徴とする、請求項１に記載の照明器具。
【請求項３】
灯具の筐体内には、光源から放射される光のうち、筐体の内壁面に向かう光を反射する補助反射板が設けられていることを特徴とする、請求項１または２に記載の照明器具。
【請求項４】
光源のソケットと端子箱とがユニット化され、この光源ユニットには、筐体後部に形成された円形の挿入口に嵌まり合う嵌合部が設けられており、その光源ユニットの嵌合部を筐体の挿入口に嵌め込んで光源ユニットを筐体に取り付けることにより、光源を筐体内の所定位置に配置することができ、かつ、光源ユニットの筐体からの取り外しによって光源を筐体外に取り出すことが可能な構造となっていることを特徴とする、請求項１、２、または３に記載の照明器具。
【請求項５】
灯具には、筐体内を強制的に換気するファンが設けられており、そのファンへの供給電流を検出し、その供給電流が検出されているときに限って光源を点灯する回路手段が設けられていることを特徴とする、請求項１、２、３、または４に記載の照明器具。
【請求項６】
灯具先端部を着脱自在な構造とし、水面に接する部分だけを取外し・取付できることを特徴とする請求項１、２、３、４、または５に記載の照明器具。
【発明の詳細な説明】
【０００１】
【発明の属する技術分野】
本発明は、原子力発電所内、原子炉及び燃料・廃棄物貯蔵プールにおける照明あるいは比較的大きな光量を要する投光照明に用いられる照明器具に関する。
【０００２】
【従来の技術】
原子力発電所等においては、各種の定期点検が実施されている。その保守点検作業の一つとして原子炉の燃料棒を交換する作業がある。燃料棒は水を満たしたプール内に配置されるため、その水中にある燃料棒の搬出・搬入を行う際には、作業者がプール上部から燃料棒を認識できるように照明を行う必要がある。
【０００３】
この種の照明には、従来、図１４に示すように、水中形の照明器具２０１・・２０１を支持機構（昇降機構）２０２に取り付け、その支持機構２０２によって照明器具２０１・・２０１をプールＰの水中に配置して、燃料棒の照明を行うという方式が採られている。また、最近では、比較的大きな光量をもつ照明器具をプールの縁部に取り付け（架設）、その器具の先端部を水中に浸して照明を行うという方式も採られている。
【０００４】
【発明が解決しようとする課題】
ところで、プールの水中に設置する方式の照明器具によれば、照明器具の全体が放射性物質を含む水に曝されるため、照明器具のランプ交換等のメンテナンスを行う際に、照明器具をプールから引き上げたときに、器具全体を洗浄する必要があり、その洗浄作業に多くの時間を要し、作業者が放射線に曝される時間が長くなるという問題がある。
【０００５】
一方、プールの縁部に取り付ける照明器具の場合、プール水中に浸す部分を少なくできるので、洗浄作業に要する時間を短くすることが可能である。しかし、このタイプの照明器具は、比較的大きな光量が必要なことから器具全体が重たくなり、しかもプール縁部に取り付けるための支持金具も重量物となるので、作業者の手作業では持ち運ぶことができない。このため照明器具を取り付け・取り外す作業を行う際にクレーン等の揚重機を使用する必要がある。
【０００６】
なお、現在、貯蔵プール等に使用されている照明器具（現行品）においては、光源から放射される光のうち、直接出射される光及び反射板で反射される光以外が、器具の筐体内で乱反射あるいは吸収され、光の利用効率が低くなることもある。また、筐体内壁への光の照射・吸収によって発生する熱により、灯具外表面が高温となるため、その旨（危険）を示す注意表示等を照明器具に設けて置く必要があり、さらに作業者が触れる可能性がある場合には、カバーやガード等の保護部材を照明器具に設ける必要があるという問題も残されている。
【０００７】
本発明はそのような実情に鑑みてなされたもので、貯蔵プールの縁部などの設置場所への取り付け・取り外しを簡単かつ短時間で行うことができる照明器具の提供を目的とする。
【０００８】
【課題を解決するための手段】
上記の目的を達成するため、本発明の照明器具は、筐体の一部を水中に没するか、もしくは、水面近傍に設置して、水中下を照らす照明器具において、筐体内に配置される光源及びその光源からの光を前面側に反射する反射板を有する灯具と、この灯具を自在に保持する支持金具とからなる照明器具における前記灯具、支持金具の連結機構が、灯具の自重によってその連結を成す、あるいは筐体に作用する浮力によってこの連結を成す、着脱可能な構造を有することを特徴としている。
【０００９】
以上の構成の本発明の照明器具によれば、灯具を支持金具から分割することができるので、灯具及び支持金具を、作業者が持ち運びできる重量にまで軽くすることが可能になる。これによりプール縁部等への取り付けの際にクレーン等の揚重機を使用する必要がなくなり、その取り付け・取り外し作業を簡単に行うことができる。また、支持金具の設置場所（造営材）への取り付け・取り外しも機械・工具等を用いることなく簡単に行えるので、その作業時間の短縮化をはかることができる。しかも、照明器具の取り付け・取り外しの作業中において工具等をプールに落とすといった問題が発生する恐れもない。
【００１０】
本発明の照明器具において、灯具が設置されるプールの水面高さを検出する水位センサと、そのセンサ出力に基づいて、水面から灯具最前部までの位置関係を一定に保つべく、灯具を上下方向に移動する昇降手段を設けていてもよい。
【００１１】
本発明の照明器具において、灯具の筐体内に、光源から放射される光のうち、筐体の内壁面に向かう光を反射する補助反射板を設けておけば、照明灯の総合効率（単位電力当たりの光束、Ｌｍ／Ｗ）が向上して経済性が良くなる。しかも、灯具の外表面が高温になることが低減され、これによりカバーやガード等の保護部材を付加する必要がなくなって、より一層の軽量化をはかることができる。
【００１２】
本発明の照明器具において、光源のソケットと端子箱とをユニット化しておけば、その光源ユニットを筐体に取り付けることにより、光源を筐体内の所定位置に配置でき、また、光源ユニットを筐体から引き抜くだけで光源を筐体の外部に取り出すことが可能となるので、光源（ランプ）の交換作業等も容易に行うことができる。さらに、この場合、図４及び図６に例示するように、筐体１０の後端部に円形の挿入口１０ａを設けておき、その円形の挿入口１０ａに嵌まり合う嵌合部２４を光源ユニット２０に設けておけば、その嵌合部２４を挿入口１０ａに嵌め込むことにより、光源を精度良く位置決めすることが可能となり、これにより光源の交換作業を行う際に、光源が筐体１０内の部品（例えばランプガイド３１）に当たって光源が破損するというような問題が解消され、作業者は光源の破損に注意を払うことなく、光源の交換作業を簡単に行うことができる。
【００１３】
本発明の照明器具において、灯具先端部を着脱自在な構造とし、水面に接する部分だけを取外し・取付できるようにしておいてもよい。
【００１４】
ここで、貯蔵プール等に用いられる照明器具においては、高容量の光源（例えばハロゲンランプ：１ｋＷ）が筐体内に収容されるため、筐体内を強制的に換気するファンを設けて光源の熱による劣化、光源の寿命低下及び絶縁部材等の劣化などを防止するという方法が採られているが、光源点灯中にファンが何らかの異常により止まってしまった場合には、そのような効果を発揮できなくなる。これを解消するため、本発明の照明器具では、ファンへの供給電流を検出して、その電流が検出されているときに限って光源を点灯する回路手段を設けることで、何らかの異常によりファンが停止したときには、光源が絶対に点灯しないようにする。
【００１５】
【発明の実施の形態】
本発明の実施の形態を、以下、図面に基づいて説明する。
【００１６】
本実施の形態の照明器具は、図１〜図３に示すように、灯具１とこれを支持する支持金具４とからなり、その灯具１を支持金具４から分割できる構造となっている。
【００１７】
灯具１は、図４及び図５に示すように、筐体１０、光源ユニット２０、ランプガイド３１、反射板３２、補助反射板３３、前面ガラス３４、ガード３５などを主体として構成されており、その筐体１０の側部に、強制換気用のファン２が設けられている。
【００１８】
筐体１０は、前方のみが開放された円筒形状の部材で、後部側に挿入口１０ａが設けられている。この挿入口１０ａは筐体１０の円筒軸を中心とする円形形状に加工されている。筐体１０の側部には、左右一対の係止ピン１１，１１が設けられている。この一対の係止ピン１１と１１は、筐体１０の円筒軸を通りかつ円筒軸と直交する直線上に位置している。また、筐体１０の後端部には、図１〜図３に示すように、一対の支持片１２ａ，１２ｃを有する、コ字形の灯具ブラケット１２が設けられている。
【００１９】
灯具ブラケット１２の一端の支持片１２ａには貫通穴１２ｂが加工されており、他端の支持片１２ｃには切欠き穴１２ｄが加工されている。その支持片１２ａの貫通穴１２ｂには、後述する調整レバー７０に設けられた支持軸７４の一端が差し込まれ、この支持軸７４の他端が切欠き穴１２ｄに嵌め込まれる。また、灯具ブラケット１２の他端の支持片１２ｃには、図１に示すように、ロックレバー１３がピン１３ａを中心として回動自在に支持されており、この支持片１２ｃの切欠き穴１２ｄに、調整レバー７０の支持軸７４の端部を嵌め込んだ状態で、ロックレバー１３を閉じることにより、その支持軸７４を回動自在に支持することができる。
【００２０】
光源ユニット２０は、図４に示すように、筐体１０内に配置されるランプ（ハロゲンランプ）２１を保持するソケット２２、ソケット保持部２３、嵌合部２４、並びに端子箱２５が一体化されたユニットで、その嵌合部２４が、図６に示すように、筐体１０の挿入口１０ａに嵌まり合う形状に加工されている。その嵌合部２４の中心はソケット２２に保持するランプ２１の中心と一致しており、従って、嵌合部２４を筐体１０の挿入口１０ａに差し込んだ状態で、ランプ２１の中心が筐体１０の円筒軸と一致し、さらに嵌合部２４を装着位置まで差し込んだ状態で、ランプ２１が反射板３２の前方の位置に設置される。なお、光源ユニット２０の筐体１０への固定は、端子箱２５の側面に設けたナット２５ａにビス２５ｂをねじ込むことによって行う。
【００２１】
反射板３２は、反射面が放物面に加工されており、ランプ２１からの放射光を平行光にして筐体１０の前面側に反射する。この反射板３２の前方には筐体１０の内面を覆う円筒形状の補助反射板３３が配置されている。これら反射板３２と補助反射板３３はそれぞれ個別に製作され、筐体１０内に配置する際にフランジ等を介して連結する構造となっている。
【００２２】
そして、以上の構造の筐体１０の前面開口部は前面ガラス３４によって塞がれており、この前面ガラス３４の前方に、線材を格子状に組み込んだ構造のガード３５が装着されている。なお、前面ガラス３４と筐体１０との間には、防水パッキン３６が挟み込まれており、筐体１０の先端部をプールＰの水中に浸しても水が筐体１０内に浸入することはない。
【００２３】
一方、灯具１を支持する支持金具４は、アームブラケット５０及び支持アーム６０からなる灯具ホルダ４０と、調整レバー７０によって構成されている。
【００２４】
アームブラケット５０は、プールＰの縁部（造営材）に設けられる固定金具１００に着脱自在に取り付けられる部材で、水平回転台５１と、この水平回転台５１の先端から下方に伸びる垂直部材５２と、垂直部材５２の下端に設けられた下部係止部材５３とからなり、その水平回転台５１及び下部係止部材５３に、それぞれ、固定金具１００のブッシュ１０１及び係止ピン１０２に嵌まり合う係止穴５１ａ、５３ａが設けられており、それら係止穴５１ａ、５３ａとブッシュ１０１及び係止ピン１０２との係合により、アームブラケット５０の全体が固定金具１００に回動自在に支持される。
【００２５】
アームブラケット５０の水平回転台５１には、係止穴５１ａを中心とする円弧状のガイド穴５１ｂが加工されている。このガイド穴５１ｂには、ロックハンドル１０３の軸部（ねじ部）が嵌め込まれており、このロックハンドル１０３のねじ込みによって、水平回転台５１を固定金具１００に対して固定することができる。また、その水平回転台５１の固定位置を変更することで、アームブラケット５０の回転角つまり灯具１の回転角をガイド穴５１ｂの範囲内（例えば左右５０°の範囲）で任意に調整することができる。
【００２６】
アームブラケット５０の垂直部材５２には、後述する支持アーム６０の縦パイプ６１を支持する支持機構５４が設けられている。支持機構５４は、図７に示すように、支持ブロック５５とロックブロック５６とからなり、その支持ブロック５５が垂直部材５２に溶接によって固着されており、その内方にロックブロック５６が配置されている。
【００２７】
支持ブロック５５は、１側面（左側面）と背面が開口された箱形の部材で、その上部と下部にそれぞれパイプ貫通穴５５ａが加工されている。ロックブロック５６は断面コ字形の部材で、そのコの字の対向片にそれぞれパイプ貫通穴５６ａが加工されており、また垂直片にロックハンドル５７の軸に形成された雄ねじ５７ａと噛み合う雌ねじ５６ｂが加工されている。
【００２８】
そして、以上の構造の支持機構５４において、ロックハンドル５７をねじ込むと、ロックブロック５６の上下のパイプ貫通穴５６ａの内面が、支持アーム６０縦パイプ６１に当たるとともに、支持ブロック５５の上下のパイプ貫通穴５５ａの内面（ロックブロック５６とは反対側の内面）が当たって縦パイプ６１がロックされる。また、ロックハンドル５７を緩めると縦パイプ６１のロックが解除され、縦パイプ６１つまり支持アーム６０全体の上下方向における位置を変更することができる。
【００２９】
支持アーム６０は、前記した縦パイプ６１と、アーム本体６２によって構成されている。アーム本体６２は、縦パイプ６１の上端部に連結された左右一対の傾斜部材６３，６３と、パイプ下端部に連結された左右一対の水平部材６４，６４とからなる、平面略Ｙ字形状の部材で、その各傾斜部材６４の先端部（アーム本体６２の先端部）に、それぞれ切欠き穴６５とロックレバー６６が設けられている。この各切欠き穴６５は傾斜部材６３に沿う方向に開口している。また、支持アーム６０の上部には左右一対の支点片６７，６７が設けられている。この各支点片６７には、上方が開口された切欠き穴６８とロックレバー６９が設けられている。なお、各ロックレバー６６，６９は、それぞれピン６６ａ，６９ａに回動自在に支持されている。
【００３０】
調整レバー７０は、レバー本体７１、ねじ棒７２及び支点ブロック７３によって構成されている。レバー本体７１は平面形状が略Ｙ形の部材で、その先端部に、前記した灯具ブラケット１２の貫通穴１２ｂと切欠き穴１２ｄに嵌まり合う支持軸７４が設けられている。また、レバー本体７１の後端部にはナット７５が固着されており、このナット７５にねじ棒７２がねじ込まれている。支点ブロック７３には、前記した支持アーム６０の上端に設けられた一対の切欠き穴６８に嵌まり合う、一対の支点ピン７３ａが固着されている。
【００３１】
そして、ねじ棒７２は支点ブロック７３に回動自在に連結されており、そのねじ棒７２を回転ハンドル７６の操作により回転させることにより、レバー本体７１を支点ブロック７３に対して前進・後退させることができ、灯具１の鉛直角をある程度の範囲（例えば０°から３０°の範囲）で調整することができる。なお、ねじ棒７２の先端には抜け防止用のストッパ（図示せず）が固着されている。また、支点ブロック７３には、ねじ棒７２の回動を固定する蝶ねじ７７が設けられている。
【００３２】
次に、本実施の形態の照明器具の取付手順を、以下、図１〜図３及び図８〜図１０を参照しつつ説明する。
【００３３】
まず、灯具１を支持金具４から取り外した状態で、それら灯具１及び支持金具４を照明器具の設置場所（プールＰの縁部）付近に運搬しておく。
【００３４】
支持金具４のアームブラケット５０を、プールＰの縁部に設けられた固定金具１００に取り付けるとともに、灯具１の灯具ブラケット１２に調整レバー７０を取り付ける。その調整レバー７０の取り付けは、図８に示すように、ロックレバー１３を開放した状態で、調整レバー７０の支持軸７４の一端を、灯具ブラケット１２の貫通穴１２ｂに差し込み、その支持軸７４の他端を灯具ブラケット１２の切欠き穴１２ｄに嵌め込んだ状態でロックレバー１３をロック側に回転させるという手順で行う。
【００３５】
次に、図９に示すように、支持アーム６０の各ロックレバー６６及び６９をそれぞれ開放した状態で、灯具１を手でもって支持金具４の上方に配置するとともに、灯具１の両側部の係止ピン１１を支持アーム６０の傾斜部材６３の上面に当て、この状態で、灯具１を前方にスライドさせて各係止ピン１１を支持アーム６０の先端の切欠き穴６５に嵌め込むとともに、調整レバー７０の支点ピン７３ａを、支持アーム６０の上端部の切欠き穴６８に嵌め込む。なお、以上の灯具１の取り付け作業において、図１０（Ａ）及び（Ｂ）に示すように、灯具１の係止ピン１１が支持アーム６０の切欠き穴６５に引っ掛かり、灯具１が滑り落ちることがないので、灯具１の全重量を手で支えなくて済む。
【００３６】
そして、各ロックレバー６６，６９をロック側に回転させ、灯具１の係止ピン１１と調整レバー７０の支点ピン７３ａを支持アーム６０に係止することによって、全ての取付作業を完了し、この取付状態で、灯具１の前部がプールＰの水中に浸り、そのプールＰ水中の燃料棒などの照明を行うことができる。
【００３７】
なお、燃料棒等の保守点検が完了して、照明が不要となった場合には、先とは逆の手順で、灯具１を支持金具４から取り外し、次いで支持金具４を取り外した後、所定の洗浄等を行って灯具１及び支持金具４を所定の保管場所に運搬・収納しておく。
【００３８】
以上説明したように、本実施の形態の照明器具では、クレーン等の揚重機を用いることなく照明器具の運搬を行うことができ、また、灯具１の支持金具４への取り付け・取り外し作業、及び、支持金具４の取り付け・取り外し作業を、工具等を用いることなく、手作業によるワンタッチ方式で行うことができるので、照明器具の取り付け・取り外しに要する作業時間を、従来に比して大幅に削減することができる。
【００３９】
また、本実施の形態に用いる灯具１によると、反射板３２の前方部分の筐体内壁面のほぼ全体を補助反射板３３で覆っているので、ランプ２１から放射される光の殆どを効率的に利用できる。しかも、ランプ２１からの光が筐体１０の内壁面に当たることによって発生する熱を大幅に軽減できる。
【００４０】
さらに、本実施の形態では、ランプ２１のソケット２２と端子箱２５とをユニット化しているので、その光源ユニット２０を筐体１０に取り付けることにより、ランプ２１を筐体１０内の所定位置に配置でき、また、光源ユニット２０を筐体１０から引き抜くだけでランプ２１を筐体１０の外部に取り出すことが可能となり、これによりランプ２１の交換作業も簡単かつ短時間で行うことができる。しかも、光源ユニット２０の嵌合部２４を、筐体１０の円形の挿入口１０ａに嵌め込むだけで、ランプ２１を精度良く位置決めすることができるので、ランプ２１の交換作業を行う際に、筐体１０の挿入口１０ａから筐体内部を見ながら、ランプ２１が他の部品（ランプガイド３１等）に当たらないようにする、というような注意を払うことなくランプ２１の交換作業を行うことができる。
【００４１】
ここで、本実施の形態の照明器具に用いるスイッチボックスを、図１１を参照しつつ説明する。
【００４２】
図１１に示すスイッチボックス８０は、電源（ＡＣ１００Ｖ）９０との接続部（電源入力部）にヒューズ（ＮＦＢ）８１が設けられており、このヒューズ８１と灯具１のファン２との間に接続される開閉スイッチ８２、及び、ヒューズ８１と灯具１のランプ２１との間に接続されるリレー８３を備えている。
【００４３】
そして、この例のスイッチボックス８０においては、電源９０からファン２に供給される電流を検出する電流検出回路８４が設けられており、この電流検出回路８４がオンのとき、つまりファン２への供給電流が検出されているときに限ってリレー８３がオンとなって灯具１のランプ２１に電源が供給されるように構成されている。従って、このようなスイッチボックス８０を用いることにより、開閉スイッチ８２をオンとしても、ファン２が作動しない場合には、灯具１のランプ２１に電源が供給されることがなく、異常時におけるランプ２１の熱による影響（ランプ自体の寿命低下、その他の絶縁部材の劣化等）を回避することができる。なお、電流検出回路８４には、ファン２の電源供給ラインに接続された変圧器８５及び一定電圧回路８６によって駆動電圧が与えられる。
【００４４】
ここで、以上の実施の形態では、反射面が放物面に加工された反射板３２を用いているが、本発明はこれに限られることなく、例えば図１２に示すように、ランプ２１からの光をある程度拡散する方向に反射する形状の反射面（曲面）をもつ反射板１３２を用いてもよい。この場合、反射曲面を、少なくとも２つの部材（反射板）で構成しておけば、図１２に示したような複雑な反射曲面１３２ａを、簡単かつ安価に製作することができる。また、この図１２あるいは先の図４に示すように、反射面を２種類の部材を連結して形成する構造とすれば、目的とする形状の反射面を容易に得ることが可能になるという利点もある。
【００４５】
また、以上の実施の形態では、支持機構５４の操作により灯具１の上下方向における位置を調整するように構成しているが、このほか、例えば図１３に示すように、灯具１が設置されるプールＰの水面高さを検出する水位センサ１５１と、そのセンサ出力に基づいて、水面Ｌから灯具１の最前部までの位置関係を一定に保つべく、灯具１を上下方向に移動する昇降機構１５２とを設けて、プールＰの水面高さに応じて、灯具１を上下動させて、水面Ｌに対する灯具１（最前部）の高さ位置を常に一定に保つという構成を採用してもよい。
【００４６】
ここで、以上の実施の形態では、筐体を水面近傍に配置して水中下を照らすタイプ照明器具の例を示したが、本発明は、これに限られることなく、筐体の一部を水中に没するタイプの照明器具にも適用できる。この場合、支持金具の連結機構として、水中に没した筐体に作用する浮力を利用して、灯具の係止ピンを灯具ホルダ・調整レバー等の端部に連結（係止）するという構造のものを採用することができる。
【００４７】
なお、本発明の照明器具において、灯具の支持金具への取付構造は、特に限定されず、図１〜図３に示したものとは異なる方式のロックレバーを用いた構造、あるいは蝶ねじ（落下防止用のチェーン付き）を用いた構造など、工具を使用することなく手作業で灯具を装着できるものであれば、任意の構造を採用することができる。
【００４８】
また、本発明の照明器具は、原子力発電所内、原子炉及び燃料・廃棄物貯蔵プール等における照明のほか、例えば水族館あるいは魚介・海藻の養殖場など、比較的大きな照明が必要な場所の照明にも適用することができる。
【００４９】
【発明の効果】
以上説明したように、本発明の照明器具によれば、筐体内に配置される光源、及びこの光源からの光を前面側に反射する反射板を有する灯具と、この灯具を設置場所に取り付けるための支持金具を備え、その灯具が連結機構により支持金具に取付・取外し可能な構造となっているので、灯具及び支持金具を、作業者が持ち運びできる重量にまで軽くすることが可能になり、これによりプール縁部等への取り付け・取り外しの際にクレーン等の揚重機を使用する必要がなくなる。その結果、照明器具の取り付け・取り外しに要する作業時間を従来に比して大幅に短縮することができ、照明器具の着脱作業時のおける放射線被爆量を抑えることができる。
【図面の簡単な説明】
【図１】本発明の実施の形態の側面図である。
【図２】同じく実施の形態の平面図である。
【図３】同じく実施の形態の正面図である。
【図４】本発明の実施の形態に用いる灯具の縦断面図である。
【図５】同じく灯具の正面図である。
【図６】図４のＸ−Ｘ断面図である。
【図７】本発明の実施の形態に用いる支持金具の要部構造を示す縦断面図である。
【図８】本発明の実施の形態の取り付け手順の説明図である。
【図９】同じく取り付け手順の説明図である。
【図１０】同じく取り付け手順の説明図である。
【図１１】本発明の実施の形態に用いるスイッチボックスの回路構成を示すブロック図である。
【図１２】灯具に用いる反射板の変形例を模式的に示す図である。
【図１３】本発明の他の実施の形態の側面図である。
【図１４】貯蔵プールの照明の一例を示す図である。
【符号の説明】
１  灯具
１０  筐体
１０ａ  挿入口
１１  係止ピン
１２  灯具ブラケット
１２ｂ  貫通穴
１２ｄ  切欠き穴
１３  ロックレバー
２  強制換気用のファン
２０  光源ユニット
２１  ランプ
２２  ソケット
２３  ソケット保持部
２４  嵌合部
２５  端子箱
３１  ランプガイド
３２  反射板
３３  補助反射板
３４  前面ガラス
３５  ガード
３６  防水パッキン
４  支持金具
４０  灯具ホルダ
５０  アームブラケット
５１  水平回転台
５１ａ  係止穴
５１ｂ  ガイド穴
５２  垂直部材
５３  下部係止部材
５３ａ  係止穴
５４  支持機構
５５  支持ブロック
５６ｂ  雌ねじ
５７  ロックハンドル
５７ａ  雄ねじ
１５１  水位センサ
１５２  昇降機構
６０  支持アーム
６１  縦パイプ
６２  アーム本体
６５  切欠き穴
６６  ロックレバー
６７  支点片
６８  切欠き穴
６９  ロックレバー
７０  調整レバー
７１  レバー本体
７２  ねじ棒
７３  支点ブロック
７４  支持軸
７５  ナット
７６  回転ハンドル
８０  スイッチボックス
８２  開閉スイッチ
８３  リレー
８４  電流検出回路
Ｐ  貯蔵プール
１００  固定金具
１０１  ブッシュ
１０２  係止ピン
１０３  ロックハンドル
【図１】
0004189473.tif 000002
【図２】
0004189473.tif 000003
【図３】
0004189473.tif 000004
【図４】
0004189473.tif 000005
【図５】
0004189473.tif 000006
【図６】
0004189473.tif 000007
【図７】
0004189473.tif 000008
【図８】
0004189473.tif 000009
【図９】
0004189473.tif 000010
【図１０】
0004189473.tif 000011
【図１１】
0004189473.tif 000012
【図１２】
0004189473.tif 000013
【図１３】
0004189473.tif 000014
【図１４】
0004189473.tif 000015